(57)【要約】  本発明は、光ディスク上に電子データを書き込むために用いる、最適化された書込パワーを決定することに関する。本発明は、書込済データのぶれの尺度と、書込済データの非対称性と、書込済データの非対称性の目標値とを含むパワー制御モデルを用いて、書込済データのシーケンスに基づいて、媒体（３２、１０８）上に電子データを書き込むための書込パワーを決定する方法であって、パワーに関して最適化されたデータ書込みを得るため、書込済データのシーケンスについて、書込済データのぶれの尺度を特定する工程（ステップ２０２）と、書込済データのぶれの尺度が変化した際に、書込済データの非対称性との関連で、書込済データの非対称性の目標値を調整する工程（ステップ２１８、２２０、２２６、２２８）と、書込済データの非対称性に応じて、書込パワーを決定する工程（ステップ２１０）と、決定された書込パワーを用いて、媒体上に、データの別のシーケンスを書き込む工程（ステップ２１２）とを含むことを特徴とする方法、装置およびコンピュータプログラム製品を含む。
2007537557.tif 000002
【特許請求の範囲】
【請求項１】
書込済データのぶれの尺度と、書込済データの非対称性と、書込済データの非対称性の目標値とを含むパワー制御モデルを用いて、書込済データのシーケンスに基づいて、媒体上に電子データを書き込むための書込パワーを決定する方法であって、
パワーに関して最適化されたデータ書込みを得るため、
−  前記書込済データのシーケンスについて、前記書込済データのぶれの尺度を特定する工程と、
−  前記書込済データのぶれの尺度が変化した際に、前記書込済データの非対称性との関連で、前記書込済データの非対称性の目標値を調整する工程と、
−  書込済データの非対称性に応じて、前記書込パワーを決定する工程と、
−  決定された前記書込パワーを用いて、前記媒体上に、データの別のシーケンスを書き込む工程とを含むことを特徴とする方法。
【請求項２】
前記媒体への各データシーケンスの書込後の反復的瞬間において、前記工程が実行されることを特徴とする請求項１記載の方法。
【請求項３】
前記調整する工程が、前記ぶれの尺度が増加した際に、前記書込済データの非対称性の目標値を調整する工程を含むことを特徴とする請求項１記載の方法。
【請求項４】
前記調整する工程が、前記ぶれの尺度が増加傾向を有する際に、前記書込済データの非対称性の目標値を調整する工程を含むことを特徴とする請求項１記載の方法。
【請求項５】
前記調整する工程が、前記ぶれの尺度が少なくとも２回の連続する反復的瞬間において一貫して増加した際に、前記書込済データの非対称性の目標値を調整する工程を含むことを特徴とする請求項２記載の方法。
【請求項６】
前記書込済データのぶれの尺度が、少なくとも前記書込済データのジッタに関連付けられた尺度であることを特徴とする請求項１記載の方法。
【請求項７】
前記書込済データのぶれの尺度が、少なくとも前記書込済データのエラーレートに関連付けられた尺度であることを特徴とする請求項１記載の方法。
【請求項８】
前記エラーレートが、前記書込済データのブロックエラーレートであることを特徴とする請求項７記載の方法。
【請求項９】
前記書込済データの非対称性を特定する工程をさらに含むことを特徴とする請求項１記載の方法。
【請求項１０】
前記調整する工程が、前記書込済データの非対称性と、前記書込済データの非対称性の目標値との間の差に応じて、前記書込済データの非対称性の目標値を調整する工程を含むことを特徴とする請求項９記載の方法。
【請求項１１】
前記調整する工程は、前記書込済データの非対称性と、前記書込済データの非対称性の目標値との間の差が、少なくとも２回の連続する反復的瞬間において一貫した方向に変化した際に、前記書込済データの非対称性の目標値を調整する工程を含むことを特徴とする請求項１０記載の方法。
【請求項１２】
前記調整する工程は、前記書込済データの非対称性と、前記書込済データの非対称性の目標値との間の差が、少なくとも２回の連続する反復的瞬間において一貫して減少した際に、前記書込済データの非対称性の目標値を増加させる工程を含むことを特徴とする請求項１１記載の方法。
【請求項１３】
前記調整する工程は、１つの瞬間において検出された、前記書込済データの非対称性と前記書込済データの非対称性の目標値との間の前記差が、２つの瞬間分前の時点において特定された前記書込済データの非対称性と前記書込済データの非対称性の目標値との間の前記差に対して、第２の値より多く減少した際に、前記書込済データの非対称性の目標値を、第１の値だけ増加させる工程を含むことを特徴とする請求項１２記載の方法。
【請求項１４】
前記調整する工程は、１つの瞬間において検出された、前記書込済データの非対称性と前記書込済データの非対称性の目標値との間の前記差が、２つの瞬間分前の時点において検出された前記書込済データの非対称性と前記書込済データの非対称性の目標値との間の前記差に対して、第２の値より少ない値だけ減少した際に、前記書込済データの非対称性の目標値を、第１の値だけ増加させる工程を含むことを特徴とする請求項１２記載の方法。
【請求項１５】
前記調整する工程は、前記書込済データの非対称性と、前記書込済データの非対称性の目標値との間の差が、少なくとも２回の連続する反復的瞬間において一貫して増加した際に、前記書込済データの非対称性の目標値を減少させる工程を含むことを特徴とする請求項１１記載の方法。
【請求項１６】
前記調整する工程は、１つの瞬間において検出された、前記書込済データの非対称性と前記書込済データの非対称性の目標値との間の前記差が、２つの瞬間分前の時点において検出された前記書込済データの非対称性と前記書込済データの非対称性の目標値との間の前記差に対して、第２の値より多く増加した際に、前記書込済データの非対称性の目標値を、第１の値だけ減少させる工程を含むことを特徴とする請求項１５記載の方法。
【請求項１７】
前記調整する工程は、１つの瞬間において検出された、前記書込済データの非対称性と前記書込済データの非対称性の目標値との間の前記差が、２つの瞬間分前の時点において検出された前記書込済データの非対称性と前記書込済データの非対称性の目標値との間の前記差に対して、第２の値より少ない値だけ増加した際に、前記書込済データの非対称性の目標値を、第１の値だけ減少させる工程を含むことを特徴とする請求項１５記載の方法。
【請求項１８】
前記書込パワーを決定する前記工程が、前記書込済データの非対称性の目標値と、前記書込済データの非対称性との差に応じて、前記書込パワーを決定する工程を含むことを特徴とする請求項１記載の方法。
【請求項１９】
前記媒体の超過速度因子を特定する工程をさらに含み、
前記書込パワーを決定する前記工程が、特定された前記媒体の前記超過速度因子に基づいて、前記書込パワーを決定する処理を伴うことを特徴とする請求項１記載の方法。
【請求項２０】
書込済データのぶれの尺度と、書込済データの非対称性と、書込済データの非対称性の目標値とを含むパワー制御モデルを用いて、書込済データのシーケンスに基づいて、媒体上に電子データを書き込む際の書込パワーを決定する装置であって、
パワーに関して最適化されたデータ書込みを得るため、
−  前記媒体から光信号を検出し、かつ前記媒体上に電子データを書き込むように構成された読出／書込ユニットと、
−  前記書込済データのぶれの尺度を特定し、前記書込済データのぶれの尺度が変化した際に、前記書込済データの非対称性との関連で、前記書込済データの非対称性の目標値を調整し、書込済データの非対称性に応じて、前記書込パワーを決定するように構成された制御ユニットと、
−  決定された前記書込パワーを、前記読出／書込ユニットに供給するように構成されたパワーユニットとを含むことを特徴とする装置。
【請求項２１】
コンピュータ内にロードされた際に、
パワーに関して最適化されたデータ書込みを得るため、
−  書込済データのぶれの尺度と、書込済データの非対称性と、書込済データの非対称性の目標値とを含むパワー制御モデル内において、媒体に書込済みの電子データのシーケンスにつき、前記書込済データのぶれの尺度を特定する工程と、
−  前記書込済データのぶれの尺度が変化した際に、前記書込済データの非対称性との関連で、前記書込済データの非対称性の目標値を調整する工程と、
−  書込済データの非対称性に応じて、前記書込パワーを決定する工程と、
−  決定された前記書込パワーを用いて、前記媒体上に、データの別のシーケンスを書き込むことを可能とする工程とを、
前記コンピュータに実行させることを特徴とするコンピュータプログラム製品。
【発明の詳細な説明】
【技術分野】
【０００１】
本発明は、光ディスク上に電子データを書き込むのに用いられる最適化された書込パワーを決定することに関するものである。
【背景技術】
【０００２】
光ディスクの読出中および書込中に良好な性能を達成するため、読出プロセス中および書込プロセス中に較正管理がなされる。たとえば、書込パラメータ、傾き（チルト）、および焦点オフセット等のパラメータを、最適化することができる。これらのパラメータは、温度と実際のディスクとの両方に依存する。温度変化は、使用されるレーザーの波長の変化を生じさせ、ディスクのばらつきは、ディスクの半径方向におけるパラメータの変化を生じさせる。
【０００３】
光色素ディスクは、この種のディスクの小さなマージンのため、上記の変化やばらつきに極めて敏感である。
【０００４】
常に最適な光書込パワーを提供するために、ベータ等の非対称性パラメータ（ａｓｙｍｍｅｔｒｙ  ｐａｒａｍｅｔｅｒ）の特定が用いられる。このパラメータは、レーザー書込パワーに対して線形であるように選択される。この線形性は、書込パワーの調整方向を決定するのに用いられる。
【０００５】
ジッタまたはビットエラーレート（もしくはブロックエラーレート；Ｂｌｅｒ）は、書込パワーに対して放物線状であり、このため、このパラメータのみを用いて、書込パワーの調整方向を決定することはできない。
【０００６】
このため、ベータが特定され、この特定は、すでに書込みがなされた部分の特定の時間的瞬間において行われる。典型的には、ある量の電子データが書き込まれた後に、ベータの値が特定される。その後、この特定された値は、ベータのある目標参照値と比較され、それらの差が計算される。この差がさらに、書込パワー補正に変換される。ベータに関する値を特定するこの種の手順は、ディスクの半径方向におけるばらつきを補償するものであって、ＷＯＰＣ（Ｗａｌｋｉｎｇ  Ｏｐｔｉｍａｌ  Ｐｏｗｅｒ  Ｃｏｎｔｒｏｌ）と呼ばれる。
【０００７】
国際特許出願ＷＯ０３／０６５３５７Ａ２号は、記録担体を走査する装置と、放射源のパワーを制御する方法とを開示している。この方法は、センサを介してビームから検知信号を検出する工程と、この検知信号に応じてレーザーパワーを所望の値に制御する工程と、走査スポット近くのトラックの少なくとも一部において測定された少なくとも１つの検知信号に依存する、記録担体の局所的な光学的特性を示す補正信号に応じて、上記の所望の値を補正する工程とを含む。検知信号は、空のトラック上、および書込済みのトラック上で測定され、これら２つの検知信号の線形結合に依存するものとして、補正信号が規定される。空のトラック上の測定および書込済みのトラック上の測定に依存するこれらの補正信号は、非対称性パラメータであるベータに対する補正値を規定する。
【０００８】
より一般的には、線速度一定（Ｃｏｎｓｔａｎｔ  Ｌｉｎｅａｒ  Ｖｅｌｏｃｉｔｙ；ＣＬＶ）処理を用いて光ディスク上に電子データを書き込む際には、データがディスクに書き込まれる間の回転速度は、ディスク中心から距離が離れるにつれて遅くなる。
【０００９】
角速度一定（Ｃｏｎｓｔａｎｔ  Ａｎｇｕｌａｒ  Ｖｅｌｏｃｉｔｙ；ＣＡＶ）での書込みについては、ディスクの回転速度は、ディスク上にデータが書き込まれる間、変わらないままである。したがって、線速度（接線方向速度）は、ディスク中心から距離が離れるにつれて速くなる。そのため、ＣＡＶ書込処理については、ベータの目標値は、線速度に依存する。
【００１０】
特定の超過速度因子（ｏｖｅｒｓｐｅｅｄ  ｆａｃｔｏｒ）Ｎｘに対応するディスクの特定の位置にアクセスする際における、ベータの目標値βｔＮｘは、周知の速度または超過速度因子Ｎｘ＿ｍｉｎおよびＮｘ＿ｍａｘを有する２つの状態間の、内挿により決定することができる。すなわち、
【数１】
2007537557.tif 000003
である。
【００１１】
現在の位置における速度ＮｓはＮｘＮｓであり、ＮｘｍｉｎおよびＮｘｍａｘにおけるベータの目標値は、それぞれβｔＮｘ＿ｍｉｎおよびβｔＮｘ＿ｍａｘである。たとえば、６ｘ＜Ｎｘ＜８ｘである場合には、Ｎｘｍｉｎ＝６ｘ、Ｎｘｍａｘ＝８ｘである。
【００１２】
６ｘおよび８ｘに対するベータの目標値は、ＯＰＣにより精確に決定され得る。線形内挿により、あらゆる速度においてベータの目標値を決定することができる。しかしながら、ディスクの外側においてＯＰＣを実行することができない場合には、ベータの目標値は、以下の式２および３に従って、既知のディスクについての６ＸにおけるＯＰＣまたは表からの目標値に基づいて、決定され得る。
【数２】
2007537557.tif 000004
【数３】
2007537557.tif 000005
【００１３】
ディスクドライブにとって未知のディスクについては、プリグルーブから情報を読み出し（いわゆるＡＤｄｒｅｓｓ  Ｉｎ  Ｐｒｅ−ｇｒｏｏｖｅ；ＡＤＩＰ）、上記の式２および３に類似の式４および５を比較することにより、非ＰＣ速度におけるベータの目標値を決定することができる。
【数４】
2007537557.tif 000006
【数５】
2007537557.tif 000007
【発明の開示】
【発明が解決しようとする課題】
【００１４】
上記のベータの目標値の計算は、ディスク上にあるベータの目標値の読出しおよび特定と同様、実際のディスク間のばらつき、および使用されるドライブ間の違いを考慮に入れないベータの値を結果としてもたらす。したがって、これらのベータの目標値は、あまり精確ではない。
【００１５】
このため、２つの異なる影響が問題点として生じ得る。第１の影響は、ポストヒート効果と呼ばれるものであり、この影響は、書込パワーが増大するにつれて増大する。ピットおよびランドはディスク上で相互作用するので、このジッタの効果は、一部が潰れた書込済マークの形態で現れる。したがって、このジッタの効果は、速度が増大するにつれて大きくなる。このジッタの効果のため、ベータに基づく調整方向は誤った方向となるかもしれず、これにより、ジッタおよびＢｌｅｒパラメータは増大させられ、望ましくない書込性能を結果としてもたらし得る。
【００１６】
第２の問題は、非ＯＰＣ速度に対する非ＯＰＣのベータの目標値が、あまり精確ではないという問題である。ＣＡＶを含むいくつかの書込プロファイルについては、中間速度に対するベータの目標値は、見積もりに基づいて決定される。このことは、書込パワー決定／調整がより難しく、不適当な書込性能を結果としてもたらすかもしれないことを意味する。
【００１７】
したがって、上記の決定がより無関係なものとなるよう、上記の問題を克服する必要がある。
【００１８】
本発明は、光ディスク上に電子データを書き込むのに用いられる最適化された書込パワーを決定することに関するものである。
【課題を解決するための手段】
【００１９】
このことは、光ディスクの書込済みの部分からの検出信号を含む、書込パワー決定モデルを用いることにより実現される。
【００２０】
本発明の第１の目的は、光ディスクの書込済みの部分からの検出信号を含む、書込パワー決定モデルを提供することである。
【００２１】
本発明の第１の側面によれば、上記の目的は、書込済データのぶれ（ｄｅｖｉａｔｉｏｎ）の尺度と、書込済データの非対称性と、書込済データの非対称性の目標値とを含むパワー制御モデルを用いて、書込済データのシーケンスに基づいて、媒体上に電子データを書き込むための書込パワーを決定する方法であって、パワーに関して最適化されたデータ書込みを得るため、上記の書込済データのシーケンスについて、書込済データのぶれの尺度を特定する工程と、その書込済データのぶれの尺度が変化した際に、書込済データの非対称性との関連で、書込済データの非対称性の目標値を調整する工程と、書込済データの非対称性に応じて、上記の書込パワーを決定する工程と、決定された書込パワーを用いて、媒体上に、データの別のシーケンスを書き込む工程とを含むことを特徴とする方法により達成される。
【００２２】
本発明の第２の目的は、光ディスクの書込済みの部分からの検出信号を含む、書込パワー決定モデルの使用に基づく装置を提供することである。
【００２３】
本発明の第２の側面によれば、この目的は、書込済データのぶれの尺度と、書込済データの非対称性と、書込済データの非対称性の目標値とを含むパワー制御モデルを用いて、書込済データのシーケンスに基づいて、媒体上に電子データを書き込む際の書込パワーを決定する装置であって、パワーに関して最適化されたデータ書込みを得るため、上記の媒体から光信号を検出し、かつその媒体上に電子データを書き込むように構成された読出／書込ユニットと、書込済データのぶれの尺度を特定し、その書込済データのぶれの尺度が変化した際に、書込済データの非対称性との関連で、書込済データの非対称性の目標値を調整し、書込済データの非対称性に応じて、上記の書込パワーを決定するように構成された制御ユニットと、決定された書込パワーを、上記の読出／書込ユニットに供給するように構成されたパワーユニットとを含むことを特徴とする装置により達成される。
【００２４】
本発明の第３の目的は、光ディスクの書込済みの部分からの検出信号を含む、書込パワー決定モデルを使用するコンピュータプログラム製品を提供することである。
【００２５】
本発明の第３の側面によれば、この目的は、コンピュータ内にロードされた際に、パワーに関して最適化されたデータ書込みを得るため、書込済データのぶれの尺度と、書込済データの非対称性と、書込済データの非対称性の目標値とを含むパワー制御モデル内において、媒体に書込済みの電子データのシーケンスにつき、上記の書込済データのぶれの尺度を特定する工程と、その書込済データのぶれの尺度が変化した際に、書込済データの非対称性に関する、書込済データの非対称性の目標値を調整する工程と、書込済データの非対称性に応じて、上記の書込パワーを決定する工程と、決定された書込パワーを用いて、媒体上に、データの別のシーケンスを書き込むことを可能とする工程とを、上記のコンピュータに実行させることを特徴とするコンピュータプログラム製品により達成される。
【００２６】
本発明は、以下の利点を有する。
【００２７】
本発明は、最適化された書込パワーの決定を提供し、これにより、光媒体上への電子データの高速書込みを可能とする。
【００２８】
本発明の別の利点は、最適化された書込パワーの決定が、書込済データの非対称性の目標値の調整のため、書込済データのぶれの尺度を考慮に入れたものである点であり、これにより、光媒体上への電子データの高速書込みが、欠陥のないものとされる。
【００２９】
従属請求項の説明および利点は、以下のとおりである。
【００３０】
請求項２は、書込パワーの反復的な決定に向けられたものである。この請求項は、連続する各瞬間において検出されたディスクの光学的特性に基づいて、書込パワーの決定を可能にするという利点を有する。
【００３１】
請求項３−５は、書込済データの非対称性の目標値を調整することに向けられたものである。これらの請求項は、書込済データのぶれの尺度の増加を考慮に入れているという利点を有する。
【００３２】
請求項６−８は、書込済データのぶれの尺度に向けられたものであり、その尺度に関するものである。この形態は、書込済データのぶれの尺度が、書込済データのジッタに依存するものであってもよく、また書込済データのエラーレートに依存するものであってもよいので、有利である。
【００３３】
請求項９は、書込済データの非対称性の特定に向けられたものである。この形態は、この尺度が書込パワーに対して線形であり、書込パワーの決定に用いられるため有利である。
【００３４】
請求項１０、１１、１２および１５は、書込済データの非対称性の目標値と、書込済データの非対称性の値との差が、少なくとも２回の連続する瞬間において一貫して変化した場合に、書込済データの非対称性の目標値を調整することに向けられたものである。この形態は、見出された差の変化傾向に応じて、目標値が変更されるので有利である。
【００３５】
請求項１３ならびに１４、および１６ならびに１７は、それぞれ、２つの異なる瞬間において検出された、書込済データの非対称性の目標値と書込済データの非対称性の値との差分同士の差に応じた量だけ、書込済データの非対称性の目標値を減少および増加させることに向けられたものである。このことは、連続した複数の瞬間に亘る挙動が考慮に入れられるという利点を有する。
【００３６】
請求項１８は、書込済データの非対称性の目標値と書込済データの非対称性との差に応じて、書込パワーを決定することに向けられたものである。
【００３７】
請求項１９は、媒体の超過速度因子を特定することに向けられたものである。この形態は、非対称性の目標値が、超過速度因子に依存するため有利である。
【発明を実施するための最良の形態】
【００３８】
以下、図面を参照して、本発明をより詳細に説明する。
【００３９】
本発明は、広くは光ディスク上に電子データを書き込むことに関し、より詳細には最適化された書込パワーを用いてかかるデータの書込みを行うことに関する。
【００４０】
高い回転速度の光媒体上に電子データを書き込むことは、困難な課題である。
【００４１】
局所的なディスクのばらつきのため、特にディスク中心から距離が離れるに従って線速度が増大するＣＡＶ書込みについては、ディスクの外側すなわち外側領域における高速書込みは、ディスクドライブおよびその精確な書込パワーを決定する性能に関し、大きな要求を突きつける。
【００４２】
好ましい書込パラメータを特定するため、検出された信号に基づいて特定された光学的パラメータの調整が利用される。ここでは、この調整は、書込済データのぶれの尺度の例としてのジッタ（σ）またはブロックエラーレート（Ｂｌｅｒ）パラメータと、特定のいわゆるディスク超過速度因子Ｎｘに対する書込済データの非対称性パラメータであるベータ（β）とを特定する処理を含む。パワーの決定は、これらのパラメータに依存する。
【００４３】
ディスクの特定の位置における線速度と関連付けられる、ディスク超過速度因子（Ｎｘ）は、以下の式６に従う。
【数６】
2007537557.tif 000008
ここで、ｆｍはディスクドライブモーターの回転数であり、Ｒはディスク半径であり、ｖ１ｘは１倍速における線速度である。１倍速における線速度の一例としては、ＤＶＤディスクについてのｖ１ｘ＝３．４９ｍ／秒が挙げられる。
【００４４】
書込済データの非対称性パラメータであるベータ（β）は、パワーに対して放物線状であるジッタやＢｌｅｒとは異なり、パワーに対して線形である。そのため、このベータ（β）は、上昇したジッタまたはＢｌｅｒのパラメータ値を調整中において減少させるためには、いずれの方向に書込パワーが変化させられなくてはならないかを特定するのに用いられる。
【００４５】
ポストヒート効果、および誤って書き込まれたデータの非対称性の目標値（たとえばベータの目標値）のために生じる、高いジッタまたはＢｌｅｒの値を検出する目的のため、書込済データの検出信号に基づいて計算され特定されたパラメータの値に基づく、新規なＷＯＰＣ（Ｗａｌｋｉｎｇ  Ｏｐｔｉｍａｌ  Ｐｏｗｅｒ  Ｃｏｎｔｒｏｌ）手順を提案する。以前に実行されたＷＯＰＣからの情報は、表に格納される。ジッタまたはＢｌｅｒ（書込済データのぶれの尺度の例）が少なくとも連続して２回増加したと評価された場合、非対称性ベータに基づくパワー調整が誤っていると推定される。ベータのデルタ、すなわちベータの目標値から特定されたベータの値を差し引いた値も、連続して２回増加または減少した場合には、ベータの目標値が変更される。パワーはベータの目標値に依存するので、ベータの目標値の変更は、書込パワーおよびその変化に対し、好ましい方向に作用する。
【００４６】
本発明の１つの好ましい実施形態による、媒体上に電子データを書き込む際の書込パワーを決定する装置が、図１に概略的に示されている。装置１００は、書込パワーの決定を制御する制御ユニット１０２を含んでいる。したがって、パワーユニット１０４は、制御ユニット１０２に接続されている。パワーユニット１０４は、書込ユニット１０６に対し、その書込ユニット１０６が接続された制御ユニット１０２が制御するパワーを供給する。制御ユニット１０２はさらに、電子媒体１０８から様々な光学的パラメータを検出するように構成された、検出ユニット１１０に接続されている。１つの好ましい実施形態では、この光媒体は、デジタル・バーサタイル・ディスク（ＤＶＤ）のタイプの媒体とされる。書込ユニット１０６は、電子データをＤＶＤディスク上に書き込むように構成されている。１つの好ましい実施形態では、書込パワーを決定する装置１００はさらに、制御ユニット１０２に接続されたメモリユニット１１２を備えたものとされる。このメモリユニット１１２は、光学的パラメータの連続した検出の間、検出された光学的パラメータの記憶装置として用いられる。
【００４７】
本発明は、最適化された書込パワーを決定するため、電子データの連続したシーケンスを利用する、書込パワーの決定に関するものである。まず、書込ユニットは、電子データの１つのシーケンスをＤＶＤディスク上に書き込む。後続のセッション中の１つの時間的瞬間Ｓにおいて、検出器は、書込済データのシーケンスの様々な光学的特性を特定する。装置は、光ＤＶＤディスクの局所的な位置における、書込済データのこれらの検出された特性に基づいて、電子データの次のシーケンスを書き込むのに用いられる更新された書込パワーを決定する。この次のシーケンスを書き込んだ後、検出器は、ＤＶＤディスクの新たな局所的な位置における、最後に書き込まれたシーケンスの光学的パラメータを検出する。その後、装置は、新たに検出された光学的パラメータに基づいて、新たな更新された書込パワーを決定する。ディスクの内側から外側に行くにつれて光ディスクのディスク特性は変化するので、書込パワーを最適化するためには、これらのディスク特性の変化により影響を受ける書込済データの光学的特性をモニタリングすることが好ましい。
【００４８】
以下、図２Ａおよび２Ｂを参照して、本発明の１つの好ましい実施形態に係る、書込パワーを決定する方法のフローチャートを説明する。
【００４９】
要約すると、電子データの第１のシーケンスが、光媒体の一種としてのＤＶＤ上に書き込まれる。そのようにデータシーケンスが書き込まれるごとに、最後に書き込まれたデータシーケンスの様々な光学的特性を検出器が検出するセッションまたは瞬間が後続する。かかるセッションの各々を、Ｓと示すこととする。このＳは、Ｓ＝０から始まる。したがって、第２のシーケンスの書込みと、その第２のシーケンスに関する光学的パラメータの検出とは、Ｓ＝１についてのパラメータを与える。
【００５０】
本発明の１つの好ましい実施形態によれば、書込済データのシーケンスに基づく、媒体上に電子データを書き込むための書込パワーを決定する方法は、ステップ２０２において、書込済データに関する光学的パラメータ、すなわちジッタ（σｓ）、ブロックエラーレート（Ｂｌｅｒｓ）、ベータ（βｓ）および超過速度因子（Ｎｘ）を特定することから始まる。これらの光学的パラメータは、検出ユニット１１０によりＤＶＤディスク１０８から検出された光信号に基づいて、制御ユニット１０２により特定される。
【００５１】
本発明の１つの実施形態によれば、検出ユニット１１０は、書込ユニット１０６とは別個のユニットとされる。本発明の別の実施形態では、この検出ユニット１１０と書込ユニット１０６とは、１つの共通の読出／書込ユニット内に配される。
【００５２】
こうして、添字Ｓは、検出された光学的パラメータと関連付けられている書込済データのシーケンスに後続する、特定のセッションを示す。
【００５３】
書込パワーを決定する方法の次のステップは、ステップ２０４において、以下の式７により、ベータの差分Δβｓを特定するステップである。
【数７】
2007537557.tif 000009
ここで、βｔはベータの目標値であって、βｓはセッションＳの間に特定された書込済データのベータである。
【００５４】
本発明の１つの好ましい実施形態によれば、ステップ２０６において、現在のセッションＳについてステップ２０４で特定されたパラメータ、すなわち書込済データに関するジッタ（σｓ）、ブロックエラーレート（Ｂｌｅｒｓ）、ベータ（βｓ）および超過速度因子（Ｎｘ）が、表に格納される。
【００５５】
本発明の１つの実施形態によれば、上記の方法は続いてステップ２０８を含み、ジッタ（σ）またはブロックエラーレート（Ｂｌｅｒ）の少なくとも２回の連続した増加が検出されたか否かを判断する。このステップは、メモリユニット１１２内に記憶された光学的パラメータに基づいて、制御ユニット１０２により実行される。制御ユニット１０２が、ジッタまたはＢｌｅｒの２回連続の増加を検出した場合には、装置の制御ユニット１０２は、ステップ２１４において、やはりメモリユニット１１２内に記憶されたパラメータに基づいて、Δβの２回連続の減少が算出されたか否かを特定する。制御ユニット１０２がΔβの２回連続の減少を検出した場合には、制御ユニット１０２は、ステップ２１６において、セッションＳについて検出されたΔβと、セッションＳ−２について検出されたΔβとの差を特定し、さらにその差の絶対値がある量ｘよりも大きいか否かを特定する。すなわち、制御ユニット１０２は、｜Δβｓ−Δβｓ−２｜がｘよりも大きいか否かを計算する。ベータの差分値間の差がｘよりも大きいことが検出された場合には、非対称性の目標値βｔは、制御ユニット１０２により増分される。本発明の１つの好ましい実施形態によれば、この目標値βｔは、ステップ２１８において、適切な値の一例として２だけ増分される。一方、制御ユニットが、ステップ２１６において、それぞれセッションＳおよびＳ−２について検出されたベータの２つの差分値間の差｜Δβｓ−Δβｓ−２｜が、ｘ以下であると判断した場合には、制御ユニットは、目標値をより小さな値だけ増分させる。本発明の１つの好ましい実施形態によれば、２よりも小さな値の一例として、ステップ２２０において、目標値βｔが１だけ増分される。
【００５６】
ステップ２１４において、制御ユニット１０２が、Δβが２回連続減少してはいないと判断した場合には、制御ユニット１０２は、ステップ２２２において、ＳおよびＳ−１について検出されたΔβの値が、２回連続のΔβの増加に合致するか否かを判断する。すなわち、制御ユニット１０２は、メモリユニット１１２から適切な値を取り出し、異なるセッションＳについて記憶されたΔβの値を用いることにより、Δβｓ＞Δβｓ−１かつΔβｓ−１＞Δβｓ−２であるか否かを判断する。ステップ２２２において、制御ユニット１０２が、Δβが２回連続増加したと判断した場合には、制御ユニット１０２は、ステップ２２４において、それぞれセッションＳおよびＳ−２について検出されたベータの２つの差分値間の差Δβｓ−Δβｓ−２が、ｘよりも大きいか否かを特定する。
【００５７】
ステップ２２４において、制御ユニット１０２が、上記の差がｘよりも大きいと判断した場合には、制御ユニットは、ステップ２２６において、ベータの目標値βｔを減少させる。本発明の１つの好ましい実施形態によれば、目標値βｔは、適切な値の一例として２だけ減少させられる。同様に、制御ユニット１０２が、ステップ２２４において特定された差がｘ以下であると判断した場合には、本発明の１つの好ましい実施形態によれば、ベータの目標値は、ステップ２２８において、２よりも小さな値の一例として１だけ減少させられる。
【００５８】
目標値を調整するステップ２１８、２２０、２２６および２２８に続いて、ステップ２０４において、上記のステップ２１８、２２０、２２６および２２８のいずれかで検出された更新された目標値βｔを用いて、制御ユニット１０２により、更新されたΔβｓの値が計算される。現在のセッション番号Ｓの間における書込パワーの更新を可能とする、更新されたΔβｓ値の決定について、以下に詳述する。Δβｓを再計算する前に、βｔ更新フラグβｕが１に設定される。βｔが更新されたか否かを示すこのフラグβｕのデフォルト値は、０である。
【００５９】
制御ユニット１０２が更新されたΔβｓ値を計算した後、この更新された値は、古いΔβｓ値を上書きすることにより、メモリユニット１１２内の表に格納される。これは、変更されていないセッション番号Ｓについて、Δβｓ値が更新されたためである。
【００６０】
ステップ２０８において、制御ユニットは、βｕが０に等しい場合にのみ、ジッタまたはＢｌｅｒの２回連続の増加が検出されたか否かを判断する。この場合、βｔが更新された後でありβｕが１であるので、制御ユニットは、ジッタまたはＢｌｅｒの検出を行わない。また、制御ユニットがジッタおよびＢｌｅｒの２回連続の増加を評価しなかった場合にも、制御ユニットは上記の判断を行わない。
【００６１】
本発明の１つの好ましい実施形態に係る方法は、ここで、制御ユニットにより実行される、書込パワーを決定するステップ２１０を含む。上記で示したように、更新されたβｔパラメータは、Δβ＝βｔ−βｓとの関係に従うΔβの値に影響を与える。書込パワーはさらにΔβに依存するので、ベータの目標値の変更は、パワーに影響を与える。以下、書込パワーの計算について詳述する。
【００６２】
更新された書込パワーを決定したステップ２１０に続いて、光ディスクの改善された読出および書込性能を実現するため、ステップ２１２において、電子データの新たなシーケンスがＤＶＤ上に書き込まれる。このステップはさらに、加算（Ｓ＝Ｓ＋１）によりセッション番号を増分する処理と、ベータ更新フラグβｕをゼロにリセットする処理とを含む。
【００６３】
書込パワーを決定するステップは、本発明の中核であるので、以下、このステップをより詳細に説明する。
【００６４】
αにより示される書込パワーは、以下の式８に従って、特定の回転超過速度因子Ｎｘについて特定されたパワー補正ΔαＮｘを加算することにより更新される。
【数８】
2007537557.tif 000010
【００６５】
ここで、ＯＰＣの観点からは、線形挙動を仮定すると、特定の速度におけるパワー（ステップ）とベータ（ステップ）との間の関係は、
【数９】
2007537557.tif 000011
のように捉えられる。
【００６６】
他の速度、すなわち非ＯＰＣ速度についても、勾配δα／δβは同一と仮定される。
【００６７】
ディスクに電子データを書き込む工程中に、データの１つのシーケンスの書込みが終了すると、書込工程は中断され、続いて、光学的特性を特定することにより光ディスクの書込性能を特定するセッションが行われる。ベータが測定され、以下の式１０に従って、特定の速度Ｎｘにおけるベータの目標値と比較される。
【数１０】
2007537557.tif 000012
【００６８】
したがって、ＯＰＣ速度に対しては、パワー変化Δαは以下の式１１を用いて計算される。
【数１１】
2007537557.tif 000013
【００６９】
非ＯＰＣの速度Ｎｘに対しては、相対的なパワー変化が同一であると仮定すると、パワー変化は以下の式１２を用いて決定することができる。
【数１２】
2007537557.tif 000014
ここで、αＮｘは速度Ｎｘに対して用いられるパワーに等しく、αＮｏｐｃはＯＰＣ速度Ｎｏｐｃにおいて用いられるパワーに等しい。したがって、比αＮｘ／αＮｏｐｃは、速度補正比である。
【００７０】
こうして、式８に従って、前回の使用パワーαに加算されるべきパワーステップΔαＮｘが決定される。
【００７１】
各ＷＯＰＣからの情報が格納される表は、以下の表１のように構成されてもよい。これは、ＣＡＶ書込用の多くの可能な表のうちの一例である。
【表１】
2007537557.tif 000015
【００７２】
表１に見て取れるように、各セッション番号（＝ＷＯＰＣ番号）について、上記の式７に従ってΔβｓが計算され、ジッタσｓおよびブロックエラーレートＢｌｅｒｓが特定される。また、各ＷＯＰＣ番号Ｓについて、超過速度因子Ｎｘが含まれている。
【００７３】
ここで、ＣＡＶ書込みについては、ベータの目標値はディスク速度に依存するものとされる。ＷＯＰＣ中にベータの目標値が変更された場合、すなわちステップ２１８、２２０、２２６および２２８のいずれかを経た場合には、この新たなベータの目標値が、その後に用いられる最低限のベータ目標値として、表１に含められる。ベータの目標値は超過速度因子に依存し、超過速度因子はＣＡＶにおいては増加していくので、ベータの目標値も同様に増加させられる。したがって、最低限の値は、最後に決定されたベータの目標値である。超過速度因子Ｎｘにおけるベータの目標値βｔＮｘは、以下の式１３を用いて計算される。
【数１３】
2007537557.tif 000016
ここで、βｔｍｉｎ＿ＮｘはＷＯＰＣ中に最後に変更されたベータの目標値であり、ＮＸＮｓは実際の位置Ｎｓにおける超過速度因子であり、Ｎｘｍｉｎ＿ｎｅｗはベータの目標値が変更された際の超過速度因子であり、Ｎｘｍａｘはディスクの外側においてＯＰＣから特定された最大超過速度因子であり、βｔＮｘ＿ｍａｘはディスクの外側での最大速度における対応のベータの目標値である。
【００７４】
上記の表１では、Ｓ＝３に対するβｔｍｉｎはβｔｍｉｎ＿Ｎｘ４であり、Ｓ＝０、１および２に対するβｔｍｉｎはβｔｍｉｎ＿Ｎｘ１である旨が見て取れる。βｔｍｉｎの値はこのように変化し、Ｓ＝３におけるＷＯＰＣの間にβｔの値が変化したことを知らせる。
【００７５】
書込済電子データのＷＯＰＣの間においてベータの目標値が変更されると、「新たなベータ目標値」βｔｍｉｎ＿Ｎｘと、外側のＯＰＣにより決定される外側のベータ目標値βｔＮｘ＿ｍａｘとの間において、直線補間が行われる。
【００７６】
上記の直線補間により、ベータ目標値の超過速度因子依存性が得られる。また、ＷＯＰＣ中におけるベータの目標値の補正と、ベータの目標値の直線補間とにより、本発明の好ましい実施形態に係る方法のためのベータの目標値が与えられる。
【００７７】
本発明の１つの好ましい実施形態によれば、ＣＤ−ＲＯＭディスクとして、コンピュータプログラム製品が提供される。しかしながら、これに代えて、コンピュータプログラム製品は、ＤＶＤディスク、ハードディスク、ＭＤディスクといった他のタイプのディスク上に付与されてもよく、あるいはメモリまたはその他の記憶容量内に付与されてもよい。
【００７８】
媒体上に電子データを書き込む際の書込パワーを決定するための、装置内の制御ユニットは、通常、コンピュータプログラムメモリが接続されたプロセッサとして実現される。メモリユニットは、プログラムメモリ内に組み込まれていてもよいが、別個のコンピュータメモリとして実現されてもよい。
【００７９】
ここで、本発明には、多くの他の変更形態がある点を強調したい。以下に述べる変更形態は、そのうちの少しの例にすぎない。すなわち、これらの異なる変更形態は、非限定的な例である。本発明の技術的範囲は、特許請求の範囲のみにより限定されるものである。
【００８０】
本発明の別の実施形態によれば、制御ユニットは、ステップ２０８において、ジッタが連続して増加したか否かのみを判断するものとされる。
【００８１】
本発明の別の実施形態によれば、ステップ２０２において、書込済データの唯一のぶれの尺度として、ジッタが、制御ユニットにより特定される。
【００８２】
本発明のさらに別の実施形態によれば、制御ユニットは、ステップ２０８において、Ｂｌｅｒが連続して増加したか否かのみを判断するものとされる。
【００８３】
本発明の別の実施形態によれば、ステップ２０２において、書込済データの唯一のぶれの尺度として、Ｂｌｅｒが、制御ユニットにより特定される。
【００８４】
本発明の別の実施形態によれば、ステップ２０２において、書込済データのぶれの尺度の別の例としてビットエラーレート（ＢＥＲ）が特定され、その後、ステップ２０８において、制御ユニットが、ＢＥＲが２回連続して増加したか否かを判断する。
【００８５】
本発明のさらに別の実施形態によれば、制御ユニットは、ステップ２０８において、ジッタまたはＢｌｅｒが、２回より多くの回数連続して増加したか否かを判断する。
【００８６】
前述のとおり、１つの変更実施形態では、ステップ２０８において、ジッタおよびＢｌｅｒが２回連続して増加したか否かが判断される。
【００８７】
本発明のさらに別の実施形態によれば、特定される書込済データのぶれの尺度は、ジッタに関連したものとされるが、ジッタそのものとはされない。ステップ２０８では、ジッタ値がそのままで計算に用いられるのではないため、ジッタ値自体は特定されなくてもよく、ジッタ値に依存する値で十分である。
【００８８】
本発明のさらに別の実施形態によれば、特定される書込済データのぶれの尺度は、Ｂｌｅｒに関連したものとされるが、Ｂｌｅｒそのものとはされない。ステップ２０８では、Ｂｌｅｒ値がそのままで計算に用いられるのではないため、Ｂｌｅｒに依存する別の値が特定され、Ｂｌｅｒが増加したか否かを制御ユニットが判断することを可能とするため、Ｂｌｅｒ値の代わりに使用される。
【００８９】
本発明のさらに別の実施形態によれば、図２Ａおよび２Ｂに示された方法の各工程は、異なる順序で行われてもよい。
【００９０】
本発明のさらに別の実施形態によれば、ステップ２１４の、Δβが２回連続して減少したか否かを判断するステップ、またはステップ２２２の、Δβが２回連続して増加したか否かを判断するステップは、Δβが２回よりも多くの回数連続して増加または減少したか否かを特定するステップを包含する。
【００９１】
本発明のさらに別の実施形態によれば、本発明に係る方法は、第１のセッションまたは瞬間におけるΔβと、その第１のセッションと３セッション以上離れた第２のセッションにおいて検出されたΔβとの間の差を、特定するステップを含んでいてもよい。
【００９２】
本発明のさらに別の実施形態によれば、ステップ２１６および２２４に含まれる閾値は、互いに異なる値とされる。
【００９３】
本発明のさらに別の実施形態によれば、ステップ２１６および２２４の各々において、２つの異なる閾値が導入される。それにより、計算された差が、両方の閾値よりも小さいか、２つの閾値の間であるか、または両方の閾値よりも大きいかが判断される。このことと関連して、ベータ目標値の更新のため、３つの異なるベータ目標値の更新値が提案される。
【００９４】
上記に述べた本発明の実施形態の１つの変更例として、ステップ２１８、２２０、２２６および２２８の後の更新されたベータ目標値が、現在の瞬間またはセッションＳにおけるΔβの再計算に用いられるのではなく、ステップ２０４においてΔβが特定される次のセッションＳ＋１において用いられるような、別の実施形態が提案される。
【００９５】
本発明のさらに別の実施形態によれば、ステップ２１０において決定される書込パワー補正が、Ｎｘ／Ｎｏｐｃの比を乗じたものとされる。
【図面の簡単な説明】
【００９６】
【図１】本発明の１つの好ましい実施形態に係る装置の概略図
【図２Ａ】本発明の１つの好ましい実施形態に係る方法のフローチャート
【図２Ｂ】本発明の１つの好ましい実施形態に係る方法のフローチャート
【図３】本発明の好ましい実施形態に従うコンピュータプログラム製品
【図１】
2007537557.tif 000017
【図２Ａ】
2007537557.tif 000018
【図２Ｂ】
2007537557.tif 000019
【図３】
2007537557.tif 000020
【国際調査報告】
2007537557.tif 000021
2007537557.tif 000022